(57)【要約】【課題】確実に蓋体を閉じた状態に保つことができるとともに、容易に蓋体の開閉操作を行うことができる収容カバーを提供する。【解決手段】収容カバー１は、開口部１５が設けられた蓋本体１０と、開口部１５を開閉自在な蓋体１１とを有している。蓋本体１０には、当接面１２から蓋体１１に向かって延びた板状の本体部１６ａと、本体部１６ａの蓋体１１側の端部から蓋本体１０の外方に向かって突出した突起部１６ｂとで構成されるロック突起１６が設けられている。また、蓋体１１の側面部１１ｃには、側面部１１ｃを貫通するとともに突起部１６ｂが通されるロック孔１７が設けられている。この収容カバー１は、蓋体１１の上面部１１ａを押圧することにより、縁部１１ｂが当接面１２と当接した側面部１１ｃが外方に撓んでロック突起１６とロック孔１７との係合が解除される。【選択図】図１
2007207613.tif 000002
【特許請求の範囲】
【請求項１】
開口部が設けられた蓋本体と、前記開口部を開閉自在な蓋体と、を有した収容カバーにおいて、
前記蓋体の外壁に、前記蓋本体に設けられたロック部と係合可能なロック受け部が設けられているとともに、
前記蓋本体に、前記蓋体の外壁の前記蓋本体寄りの縁部でかつ前記ロック受け部の近傍の部分が当接可能な当接面が設けられているとともに、
前記開口部が前記蓋体により塞がれた状態で、前記ロック受け部が、前記ロック部よりも外側に配されていることを特徴とする収容カバー。
【請求項２】
前記ロック受け部が、前記蓋体の外壁を貫通したロック孔であり、かつ、
前記ロック部が、前記ロック孔内を通されて前記蓋体の外壁より突出するロック突起であることを特徴とする請求項１に記載の収容カバー。
【請求項３】
前記蓋体の外壁に、前記蓋体の外表面から外方に向かって延びた摘み部が設けられたことを特徴とする請求項１または請求項２に記載の収容カバー。
【請求項４】
前記当接面が、前記蓋体と前記蓋本体とが相対する方向と直交する方向に沿って平坦に形成されたことを特徴とする請求項１ないし請求項３のうちいずれか１項に記載の収容カバー。
【発明の詳細な説明】
【技術分野】
【０００１】
本発明は、例えば、自動車のエンジンのスタータモータなどに供給される電力が流れる端子部などを収容する収容カバーに関する。
【背景技術】
【０００２】
例えば、自動車のエンジンのスタータモータなどには、他の機器よりも大きな電流の電力が供給される。このため、前述したスタータモータなど大きな電力が流れる電子機器と接続した端子部は、絶縁性のカバーなどで覆われることが多い。
【０００３】
前述した収容カバー１００（特許文献１を参照。）は、図６（ａ）に示すように、前述した端子部１０１に取り付けられる蓋本体１０２と、この蓋本体１０２にセルフヒンジなどで連なった蓋体１０３とを有している。蓋本体１０２には、端子部１０１を露出させることが可能な開口部１０４が設けられている。蓋体１０３は、開口部１０４を開閉自在に蓋本体１０２に支持されている。
【０００４】
前述した収容カバー１００は、図６（ｂ）に示すように、前述した蓋体１０３を開口部１０４を閉じた状態に保つロック部１０５を有している。このロック部１０５は、蓋体１０３の側壁に設けられかつ該側壁の外表面から収容カバー１００の外方に向かって突出したロック突起１０６と、前記蓋本体１０２の側壁に設けられかつ該側壁の内表面から凹に形成された収容凹部１０７と、で構成されている。また、このロック突起１０６は、係合方向Ｋ（ロック突起１０６が収容凹部１０７に係合する際に移動する方向を言う。）に沿った先端面１０６ａがテーパ状に形成されていることにより、弱い力で収容凹部１０７に係合できるようになっている。そして、収容凹部１０７に引っ掛かる係合方向Ｋに沿った後端面１０６ｂが、係合方向Ｋと直交する方向に形成されていることにより、ロック突起１０６と収容凹部１０７との係合が確実に保たれるようになっている。このような収容カバー１００は、蓋体１０３の側壁の外表面と蓋本体１０２の側壁の内表面とが重ねられることにより、ロック突起１０６が収容凹部１０７に係合して、蓋体１０３を開口部１０４を閉じた状態に保つ。
【特許文献１】実開平６−５４２２２号公報
【発明の開示】
【発明が解決しようとする課題】
【０００５】
しかしながら、前述した従来の収容カバー１００では、ロック部１０５が、ロック突起１０６と収容凹部１０７との係合が確実に保たれる完全ロック構造を有しているために、これらの係合を解除する解除操作が困難であるという問題があった。また、これらの係合を解除する際の操作性を考慮して、ロック突起１０６の後端面１０６ｂを図６（ｃ）に示すようなテーパ状に形成することも考えられるが、このようにした場合、係合解除操作は容易になるものの、確実にロック突起１０６と収容凹部１０７との係合を保つことが難しくなる、即ち蓋体１０３が意図せず開いてしまう虞がある、という問題が新たに生じる。
【０００６】
したがって、本発明は、確実に蓋体を閉じた状態に保つことができるとともに、容易に蓋体の開閉操作を行うことができる収容カバーを提供することをその目的とする。
【課題を解決するための手段】
【０００７】
前記課題を解決し目的を達成するために、請求項１に記載された発明は、開口部が設けられた蓋本体と、前記開口部を開閉自在な蓋体と、を有した収容カバーにおいて、前記蓋体の外壁に、前記蓋本体に設けられたロック部と係合可能なロック受け部が設けられているとともに、前記蓋本体に、前記蓋体の外壁の前記蓋本体寄りの縁部でかつ前記ロック受け部の近傍の部分が当接可能な当接面が設けられているとともに、前記開口部が前記蓋体により塞がれた状態で、前記ロック受け部が、前記ロック部よりも外側に配されていることを特徴とする収容カバーである。
【０００８】
請求項２に記載された発明は、請求項１に記載された発明において、前記ロック受け部が、前記蓋体の外壁を貫通したロック孔であり、かつ、前記ロック部が、前記ロック孔内を通されて前記蓋体の外壁より突出するロック突起であることを特徴とするものである。
【０００９】
請求項３に記載された発明は、請求項１または請求項２に記載された発明において、前記蓋体の外壁に、前記蓋体の外表面から外方に向かって延びた摘み部が設けられたことを特徴とするものである。
【００１０】
請求項４に記載された発明は、請求項１ないし請求項３のうちいずれか１項に記載の発明において、前記当接面が、前記蓋体と前記蓋本体とが相対する方向と直交する方向に沿って平坦に形成されたことを特徴とするものである。
【発明の効果】
【００１１】
請求項１に記載された発明によれば、ロック受け部がロック部よりも外側に配されていることにより、蓋体を当接面に向かって押圧することで、ロック受け部が設けられた蓋体の外壁が外方に撓んで、ロック部とロック受け部との係合を解除することができる。このような構成の収容カバーは、蓋体を当接面に向かって押圧することなくロック部とロック受け部との係合が解除されることがないとともに、蓋体を当接面に向かって押圧するだけで容易にロック部とロック受け部との係合を解除できる。したがって、確実に蓋体を閉じた状態に保つことができるとともに、容易に蓋体の開閉操作を行うことができる収容カバーを提供することができる。
【００１２】
請求項２に記載された発明によれば、ロック突起が蓋体の外壁を貫通したロック孔内に通されて蓋体の外壁より突出することでこれらが互いに係合するので、ロック突起とロック孔との重なり代を十分に取ることができ、そのために、さらに確実に蓋体を閉じた状態に保つことができるとともに、容易に蓋体の開閉操作を行うことができる収容カバーを提供することができる。
【００１３】
請求項３に記載された発明によれば、開口部を蓋体に塞がれた状態から開放状態にする際に、摘み部を把手として利用することで、容易に蓋体を持ち上げる操作を行うことができる。そのために、確実に蓋体を閉じた状態に保つことができるとともに、さらに容易に蓋体の開閉操作を行うことができる収容カバーを提供することができる。
【００１４】
請求項４に記載された発明によれば、当接面が、蓋体と蓋本体が相対する方向と直交する方向に沿って平坦に形成されているので、蓋体を当接面に向かって押圧する際に、蓋体の外壁をより外方に撓みやすくすることができる。よって、容易にロック部とロック受け部との係合を解除させることができ、そのために、確実に蓋体を閉じた状態に保つことができるとともに、さらに容易に蓋体の開閉操作を行うことができる収容カバーを提供することができる。
【発明を実施するための最良の形態】
【００１５】
以下、本発明の一実施形態にかかる収容カバー１を、図１ないし図５を参照して説明する。図１は、本発明の一実施の形態に係る収容カバーを示す斜視図である。図２は、図１に示された収容カバーの蓋体が蓋本体の開口部を塞いだ状態を示す斜視図である。図３は、図２中のＡ−Ａ線断面図である。図４は、図３中のＢ部を拡大して示す断面図である。図５は、図２に示された収容カバーの蓋体の上面部を押圧した時の状態を示す断面図である。
【００１６】
本実施形態に係る収容カバー１は、自動車のスタータモータなどの他の電子機器より高い電流値の電力が供給される電子機器と接続される端子部２と、該端子部２に接続される電線付きの端子３とを収容する。
【００１７】
端子部２は、導電性の金属で構成され、かつ、図１に示すように、前述したスタータモータなどの電子機器と接続した台部４と、この台部４から立設したねじ軸５と、ナット６とを有している。ナット６は、ねじ軸５に螺合する。
【００１８】
端子３は、厚手の板金で構成され、環状の電気接触部７（図３に示す）と、この電気接触部７に連なった電線接続部８（図３に示す）とを有している。電気接触部７は、内側にねじ軸５を通して端子部２の台部４上に重ねられる。電線接続部８は、バッテリやジェネレータなどの電源などと接続した電線９（図１に示す）が取り付けられる。電線接続部８即ち端子３は、勿論、前述した電線９と電気的に接続される。
【００１９】
前述した端子部２は、ねじ軸５を通した電気接触部７が台部４上に重ねられて、ねじ軸５にナット６が螺合して、このナット６と台部４との間に電気接触部７を挟み込んで、端子３が取り付けられる。そして、端子部２は、台部４即ち前述した電線９などを介して、高い電流値の電力が供給される電子機器と前述した電源とを電気的に接続する。
【００２０】
収容カバー１は、絶縁性の合成樹脂で構成され、図１及び図２などに示すように、蓋本体１０と、蓋体１１と、を一体に有している。蓋本体１０は、天井壁１３と、この天井壁１３の外縁から立設した周壁１４とを有して鉢状に形成されている。蓋本体１０は、天井壁１３の長手方向の一端部が前述した台部４と間隔をあけて相対する状態で、この台部４に被せられた格好で端子部２に固定される。蓋本体１０の前述した一端部には、開口部１５が設けられている。開口部１５は、蓋本体１０の一端部側の天井壁１３と、この一端部側の天井壁１３と連なった周壁１４の天井壁１３寄りの一部分を貫通した格好になっている部分を指す。このため、開口部１５では、前述したねじ軸５などが外部に露出している。また、蓋本体１０は、上記開口部１５が設けられた周壁１４の天井壁１３寄りの端部に、後述の蓋体１１の蓋本体１０寄りの縁部１１ｂが当接可能な当接面１２が設けられている。また、この当接面１２は、蓋本体１０と蓋体１１とが相対する方向と直交する方向に沿って平坦に形成されている。
【００２１】
さらに、前述した蓋本体１０の一端部でかつ幅方向の両端部には、ロック部としてのロック突起１６が一つずつ計一対設けられている。これら一対のロック突起１６は、上記当接面１２から天井壁１３、即ち蓋体１１、に向かって立設した板状の本体部１６ａと、この本体部１６ａの蓋体１１寄りの端部から蓋本体１０の幅方向に沿って外方に突出した突起部１６ｂとから構成されている。さらにこの突起部１６ｂは、当接面１２から離れた側の一端部１６ｃ（図４に示す。）がテーパ状に形成されている。このため、弱い力で後述のロック孔１７に係合できるようになっている。即ち、容易に突起部１６ｂをロック孔１７に係合させることができるようになっている。また、突起部１６ｂは、当接面１２寄りの他端部１６ｄ（図４に示す。）が、ロック突起１６とロック孔１７とが係合または係合離脱する際に移動する方向と直交する方向に延びた面に形成されている。このため、ロック孔１７との係合が確実に保たれるようになっている。
【００２２】
蓋体１１は、開口部１５に位置付けられることにより開口部１５を塞ぐものである。この蓋体１１は、図１及び図２に示すように、開口部１５を塞いだ状態で、天井壁１３と同一平面状に配される上面部１１ａと、この上面部１１ａの外縁から立設するとともに当接面１２に向かって延びた側面部１１ｃとを有している。また、上面部１１ａの天井壁１３に面した一つの外縁には側面部１１ｃが形成されていないとともに、セルフヒンジ１９を介して天井壁１３の開口部１５に面した一つの外縁に連なっている。このようにセルフヒンジ１９は、蓋本体１０と蓋体１１との双方と連なっており、これらより厚みが薄く形成されて、変形自在となっている。蓋体１１は、セルフヒンジ１９が変形することで、セルフヒンジ１９を中心として蓋本体１０に対して回動自在に支持されている。蓋体１１は、セルフヒンジ１９を中心として回動することで、前述した開口部１５を塞いだ状態（図２に示す）と、開口部１５を開放する状態（図１に示す）とに亘って変位自在となっている。即ち、蓋体１１は、開口部１５を開閉自在である。
【００２３】
また、上記蓋体１１は、開口部１５を塞いだ状態で、側面部１１ｃが前述した一対のロック突起１６よりも外側に位置付けられるとともに、側面部１１ｃの内表面がロック突起１６の本体部１６ａと重なる。この側面部１１ｃの本体部１６ａと重なる部分には、ロック突起１６の突起部１６ｂが係合可能なロック受け部としてのロック孔１７が設けられている。このロック孔１７は、側面部１１ｃを貫通している。本実施形態では、ロック突起１６が一対設けられているため、ロック孔１７も一対設けられている。このようなロック孔１７内には、図４に示すように、突起部１６ｂが、テーパ状に形成された一端部１６ｃから弱い力で通されるとともに、他端部１６ｄが側面部１１ｃの外表面よりも外方に突出する。このように、収容カバー１は、ロック突起１６とロック孔１７との重なり代が十分に取られているとともに、前述したように、突起部１６ｂの他端部１６ｄが、ロック突起１６とロック孔１７とが係合または係合離脱する際に移動する方向と直交する方向に延びた面に形成されていることにより、ロック突起１６とロック孔１７との係合が確実に保たれるようになっている。このため、確実に蓋体１１が閉じた状態に保たれるとともに、意図せずに蓋体１１が開いてしまうことが防止される。
【００２４】
さらに、側面部１１ｃの上面部１１ａから離れた側の縁部１１ｂは、蓋体１１が開口部１５を塞いだ状態で、前述した当接面１２と当接する。即ち、縁部１１ｂのロック孔１７の近傍の部分が、蓋体１１が開口部１５を塞いだ状態で当接面１２と当接する。
【００２５】
さらに、側面部１１ｃのうち一対のロック孔１７の中央部分には、側面部１１ｃの外表面から蓋体１１の外方に向かって延びた摘み部１８が設けられている。この摘み部１８は、蓋体１１が開口部１５を塞いだ状態から、開口部１５を開放する際に用いる把手である。
【００２６】
上記収容カバー１において、開口部１５が開放された状態から開口部１５が塞がれた状態にしてロック突起１６とロック孔１７とを係合させる際には、蓋体１１を当接面１２に向かって回動させる。この時、突起部１６ｂと突起部１６ｂに当接したロック孔１７近傍の側面部１１ｃとが互いに弾性変形して一旦撓んだ後、突起部１６ｂがロック孔１７に通されて、ロック突起１６とロック孔１７とが係合する。そして、突起部１６ｂがロック孔１７に係合することにより、蓋体１１により開口部１５が塞がれた状態が保たれる。
【００２７】
また、上記収容カバー１において、ロック突起１６とロック孔１７との係合を解除して開口部１５が塞がれた状態から開口部１５が開放された状態にする際には、蓋体１１の上面部１１ａを当接面１２に向かって押圧するとともに、摘み部１８を摘むなどして蓋体１１を当接面１２から離れる側に回動させる。この時、ロック孔１７近傍の側面部１１ｃは、上面部１１ａに力が加えられることにより、図５に示すように、蓋体１１の外方に膨らむ格好で弾性変形する。このように側面部１１ｃが弾性変形することにより突起部１６ｂがロック孔１７から外れてロック突起１６とロック孔１７との係合が解除される。そして、係合が解除されるのと同時に蓋体１１を当接面１２から離れる側に回動させることで、開口部１５が開放される。
【００２８】
本実施形態によれば、ロック突起１６の突起部１６ｂの一端部１６ｃがテーパ状に形成されているので、弱い力で容易に突起部１６ｂをロック孔１７に係合させることができる。また、突起部１６ｂの他端部１６ｄがロック突起１６とロック孔１７とが係合または係合離脱する際に移動する方向と直交する方向に延びた面に形成されており、かつ、この他端部１６ｄが側面部１１ｃの外表面よりも外方に突出するのでロック突起１６とロック孔１７との係合が確実に保たれる。また、ロック孔１７が設けられた側面部１１ｃがロック突起１６よりも外側に配されているとともに、側面部１１ｃの縁部１１ｂが当接可能でかつ蓋体１１と蓋本体１０が相対する方向と直交する方向に沿って平坦に形成された当接面１２が設けられているので、蓋体１１の上面部１１ａを当接面１２に向かって押圧することにより、側面部１１ｃが外方に撓んで、容易にロック突起１６とロック孔１７との係合を解除できる。さらに、これらの係合が解除されるのと同時に摘み部１８を利用して蓋体１１を回動させることにより、容易に開口部１５を開放状態にすることができる。したがって、確実に蓋体１１を閉じた状態に保つことができるとともに、容易に蓋体１１の開閉操作を行うことができる収容カバー１を提供することができる。
【００２９】
なお、前述した実施形態では、端子部２は、スタータモータに接続している。しかしながら、本発明では、端子部２は、モータ、ジェネレータ、バッテリなどに接続しても良い。要するに、本発明では、端子部２は、高い電流値の電流が流れる電子機器に接続するのが望ましく、種々の電子機器に接続しても良い。このように、収容カバー１は、如何なる部品を収容しても良い。また、本発明では、蓋本体１０にロック孔１７を設けるとともに、蓋体１１にロック突起１６を設けるようにしても良い。
【００３０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３１】
【図１】本発明の一実施の形態に係る収容カバーを示す斜視図である。
【図２】図１に示された収容カバーの蓋体が蓋本体の開口部を塞いだ状態を示す斜視図である。
【図３】図２中のＡ−Ａ線断面図である。
【図４】図３中のＢ部を拡大して示す断面図である。
【図５】図２に示された収容カバーの蓋体の上面部を押圧した時の状態を示す断面図である。
【図６】（ａ）は、従来の収容カバーを示す断面図であり、（ｂ）は、（ａ）中のＣ部を拡大して示す断面図であり、（ｃ）は、（ｂ）に示されたロック構造の変形例を示す断面図である。
【符号の説明】
【００３２】
１  収容カバー
１０  蓋本体
１１  蓋体
１１ｂ  縁部
１１ｃ  側面部（外壁）
１２  当接面
１５  開口部
１６  ロック突起（ロック部）
１７  ロック孔（ロック受け部）
１８  摘み部
【図１】
2007207613.tif 000003
【図２】
2007207613.tif 000004
【図３】
2007207613.tif 000005
【図４】
2007207613.tif 000006
【図５】
2007207613.tif 000007
【図６】
2007207613.tif 000008